(57)【要約】      （修正有）【課題】ＰＣＢの上面に載置され、下面ではんだ付けを行わせる部品を有することにより、ＰＣＢに載置される部品に十分なはんだ付けスペースを可能にし得るフレキシブルケーブルコネクタの取り付け構造および方法を提供する。【解決手段】フレキシブルケーブル３の挿入および引き出しならびにフレキシブルケーブル３との接触を可能にする、接触端子２０が載置される筐体１０と、開放／閉鎖し、かつ筐体上で回転を可能にするような方式で取り付けられるアクチュエータ３０と、筐体１０に備え付けられ、かつＰＣＢ２に筐体１０を固定する取付釘とを備える、フレキシブルケーブルコネクタであり、接触端子２０、アクチュエータ３０、および取付釘がそれぞれ筐体に載置された、完全に組み立てられたフレキシブルケーブルコネクタは、ＰＣＢ２の底部から上部までを通過し、接触端子２０の底部および取付釘の底部は、ＰＣＢ２の下面にはんだ付けされる。【選択図】図１
2014239035.tif 000002
【特許請求の範囲】
【請求項１】
フレキシブルケーブルコネクタ載置構造であって、フレキシブルケーブルの挿入および引き出しを可能にして前記フレキシブルケーブルと接触する接触端子が載置される筐体と、開放／閉鎖し、回転を可能にするような方式で前記筐体に載置されるアクチュエータと、前記筐体に備え付けられ、該筐体をＰＣＢに貼り付ける取付釘と、を備え、前記接触端子、前記アクチュエータ、および前記取付釘が各々前記筐体に載置された、完全に組み立てられた前記フレキシブルケーブルコネクタは、前記ＰＣＢの底部から上部を通過し、前記接触端子の底部および前記取付釘の底部は、前記ＰＣＢの下面にはんだ付けされる、フレキシブルケーブルコネクタ載置構造。
【請求項２】
前記接触端子が前記筐体から後方へ突出して前記ＰＣＢの底面にはんだ付けされ、前記取付釘が前記筐体の前方および両側へ突出して前記ＰＣＢの下面にはんだ付けされる、請求項１に記載のフレキシブルケーブルコネクタ載置構造。
【請求項３】
前記アクチュエータが閉鎖するときに後方に逆回転する、請求項２に記載のフレキシブルケーブルコネクタ載置構造。
【請求項４】
前記アクチュエータが閉鎖するとき、前記端子は、前記筐体の後部端よりもさらに後の方へ突出し、前記突出する端子は、前記アクチュエータが押圧されるとき前記ＰＣＢの上面に接触し、前記アクチュエータを支持する支持突起部は、下方に突出するように作製される、請求項３に記載のフレキシブルケーブルコネクタ載置構造。
【請求項５】
完全に組み立てられた前記フレキシブルケーブルコネクタが前記ＰＣＢを通過するとき前記アクチュエータを開放状態で維持するために閉鎖防止構造を有する、請求項４に記載のフレキシブルケーブルコネクタ載置構造。
【請求項６】
前記アクチュエータが、前記筐体の両側上に備え付けられる側面取付釘上に回転可能に固定され、前記アクチュエータが開放状態で維持されるように、前記側面取付釘の上部に触れるアクチュエータ回転軸の一部にフラット領域が形成される、請求項５に記載のフレキシブルケーブルコネクタ載置構造。
【請求項７】
前記フレキシブルケーブルが前記ＰＣＢから離れて配置される、請求項１に記載のフレキシブルケーブルコネクタ載置構造。
【請求項８】
フレキシブルケーブルコネクタを載置するための方法であって、（ａ）フレキシブルケーブルが、筐体上に接触端子、アクチュエータ、および取付釘を載置することにより組み立てられるステップと、（ｂ）完全に載置された前記フレキシブルケーブルコネクタが、前記アクチュエータが開放状態にあるまま、反転した前記ＰＣＢの穴を通って前記コネクタに挿入されるステップと、（ｃ）前記筐体の外部に突出している前記接触端子の底部端および前記取付釘の底部端が、前記ＰＣＢの底面に接触するようにはんだ付けする面にはんだ付けされるステップと、（ｄ）はんだ付けの後、前記ＰＣＢが反転され、フレキシブルケーブルが前記筐体に挿入されるステップと、（ｅ）前記アクチュエータが、後方に回転することにより閉鎖されるステップと、を含む、フレキシブルケーブルコネクタを載置するための方法。
【請求項９】
前記ステップ（ｂ）で、前記アクチュエータが開放状態に維持される、請求項８に記載のフレキシブルケーブルコネクタを載置するための方法。
【請求項１０】
前記ステップ（ｄ）で、前記アクチュエータが、前記フレキシブルケーブルの挿入を促進するようにさらに前方に回転する、請求項８または請求項９に記載のフレキシブルケーブルコネクタを載置するための方法。
【発明の詳細な説明】
【技術分野】
【０００１】
本発明は、フレキシブルケーブルコネクタ、より具体的には、ケーブルがプリント回路基板の上面に載置されるがプリント回路基板の下面ではんだ付けが行われる、フレキシブルケーブルコネクタの載置構造および方法に関する。
【背景技術】
【０００２】
情報技術製品等における設計の自由度を向上するために、剛性プリント回路基板よりもフレキシブルプリント回路（ＦＰＣ）およびフレキシブルフラットケーブル（ＦＦＣ）の使用が増えている。典型的には、この種のフラット回路ケーブルとプリント回路基板を電気的に接続するためにコネクタが使用される。
【０００３】
近年、フレキシブルケーブルコネクタを含む製品内に載置される部材を有する電気製品の厚みが減少し、両面ＰＣＢが片面ＰＣＢに徐々に取って代わられている。
【０００４】
片面ＰＣＢにおいて、上部にのみパターンが形成され、上部と底部をつなぐ穴は存在せず、底部は基部としての役目のみを果たし、生産コストを削減するという利点を有する。片面ＰＣＢに載置されるフレキシブルケーブルコネクタの例は、本出願人により申請かつ登録された大韓民国登録特許第１２２１５０６号（以下、「先行特許」）に開示される。これに加えて、上述の利点のため、多くのフレキシブルケーブルは、片面ＰＣＢに載置される。
【０００５】
しかしながら、先行特許のコネクタ等のフレキシブルケーブルコネクタは上述の利点を有するが、全ての部品が、それらが載置されるのと同時にはんだ付けされなければならないため、はんだ付けのための部品間のスペースを確保することは、多くの場合、困難である。
【発明の概要】
【発明が解決しようとする課題】
【０００６】
上述の先行技術の問題を解決するために考案された本発明の目的は、ＰＣＢの上面に載置されるが下面ではんだ付けを行わせる部品を有することにより、ＰＣＢに載置される部品に十分なはんだ付けスペースを可能にし得るフレキシブルケーブルコネクタの取り付け構造および方法を提供することである。
【０００７】
本発明の別の目的は、筐体の４方向でＰＣＢへのはんだ付けが行われるため、フレキシブルケーブルコネクタがＰＣＢに強固に載置されることを可能にするフレキシブルケーブルコネクタの取り付け構造および方法を提供することである。
【課題を解決するための手段】
【０００８】
本発明のフレキシブルケーブルコネクタ載置構造は、フレキシブルケーブルの挿入および引き出し、ならびにフレキシブルケーブルとの接触を可能にする、接触端子が載置される筐体と、開放／閉鎖し、かつ筐体上で回転を可能にするような方式で取り付けられるアクチュエータと、筐体に備え付けられ、かつ筐体をＰＣＢに固定する取付釘と、を備える、フレキシブルケーブルコネクタであり、接触端子、アクチュエータ、および取付釘がそれぞれ筐体に載置された、完全に組み立てられたフレキシブルケーブルコネクタは、ＰＣＢの底部から上部までを通過し、接触端子の底部および取付釘の底部は、ＰＣＢの下面にはんだ付けされる。
【０００９】
接触端子が筐体の後方へ突出してＰＣＢの底面にはんだ付けされ、取付釘が筐体両側および前方に突出してＰＣＢの下面にはんだ付けされる。
【００１０】
筐体の正面を介してフレキシブルケーブルが挿入されおよび引き出され、アクチュエータが閉鎖するときに後方に回転する。
【００１１】
アクチュエータが閉鎖するとき、端子が筐体の後部端よりもさらに後部の方へ突出し、突出する端子はアクチュエータが押圧されるときＰＣＢの上面に接触し、アクチュエータを支持する支持突起部は下方に突出するように作製される。
【００１２】
アクチュエータは、完全に組み立てられたフレキシブルケーブルコネクタがＰＣＢを貫通するとき、アクチュエータが開放状態に留まるように、閉鎖防止構造を有する。
【００１３】
アクチュエータが、筐体の両側上に備え付けられる側面取付釘上に回転可能に固定され、アクチュエータが開放状態で維持されるように、側面取付釘の上部に触れる側面取付釘に接触するアクチュエータ回転軸の一部にフラット領域が形成される。
【００１４】
フレキシブルケーブルが挿入されるとき、フレキシブルケーブルはＰＣＢからある距離をおいて留まる。
【００１５】
フレキシブルケーブルコネクタを載置するための本発明の方法は、（ａ）フレキシブルケーブルが、筐体上に接触端子、アクチュエータ、および取付釘を載置することにより組み立てられるステップと、（ｂ）完全に載置されたフレキシブルケーブルコネクタが、アクチュエータが開放状態にあるまま、反転したＰＣＢの穴を通ってコネクタに挿入されるステップと、（ｃ）筐体の外部に突出している接触端子の底部端および取付釘の底部端がＰＣＢの下面に接触するようにはんだ付けする面にはんだ付けされるステップと、（ｄ）はんだ付けの後、ＰＣＢが反転され、フレキシブルケーブルが筐体に挿入されるステップと、（ｅ）アクチュエータが後方に回転することにより閉鎖されるステップと、を含む。
【００１６】
ステップ（ｂ）では、アクチュエータが開放状態に留まる。
【００１７】
ステップ（ｄ）では、フレキシブルケーブルの挿入を促進するようにアクチュエータがさらに前方に回転する。
【発明の効果】
【００１８】
本発明のフレキシブルケーブルコネクタ載置構造および方法は以下の効果を有する。
【００１９】
第１に、フレキシブルケーブルコネクタはＰＣＢの上面に載置されるがＰＣＢの下面ではんだ付けが行われるため、ＰＣＢの上部に載置される他の部品のための十分なはんだ付けスペースを確保することができるため回路構成を促進する。
【００２０】
第２に、筐体の４方向でＰＣＢへのはんだ付けが行われるためフレキシブルケーブルコネクタがＰＣＢに強固に載置されることが可能である。具体的には、先行技術では、フレキシブルケーブルコネクタが筐体の上面にはんだ付けされた場合、載置の信頼性において筐体の３方向でのみＰＣＢへのはんだ付けが行われても問題はなかったが、ＰＣＢの下面ではんだ付けが行われた場合、次いで筐体の３方向でのみＰＣＢへのはんだ付けが行われた場合、次いでアクチュエータがそれ自体を閉鎖するために押圧されたとき、載置するコネクタの信頼性が損なわれることを避けられなく、筐体の４方向ではんだ付けが行われることによってこれを解決することができる。
【図面の簡単な説明】
【００２１】
【図１】本発明の好ましい実施形態におけるフレキシブルケーブルコネクタ載置構造の横断面図である。
【図２】フレキシブルケーブルコネクタおよび相互に分離されるＰＣＢを示す斜視図である。
【図３】フレキシブルケーブルコネクタの分解斜視図である。
【図４】フレキシブルケーブルコネクタの底面図である。
【図５】フレキシブルケーブルコネクタを載置する過程を示す図である。
【図６】フレキシブルケーブルコネクタを載置する過程を示す図である。
【図７】フレキシブルケーブルコネクタを載置する過程を示す図である。
【図８】フレキシブルケーブルコネクタを載置する過程を示す図である。
【図９】アクチュエータが側面取付釘に回転可能に係合される状態を示すための筐体の部分切り取り図である。
【図１０】アクチュエータのそれぞれの側面が側面取付釘に回転可能に係合される状態を示す図である。
【発明を実施するための形態】
【００２２】
以下で、本発明の好ましい実施形態におけるフレキシブルケーブルコネクタ載置構造および載置方法が、添付の図面を参照して詳細に説明される。
【００２３】
図１は、本発明の好ましい実施形態におけるフレキシブルケーブルコネクタ載置構造の横断面図であり、図２は、フレキシブルケーブルコネクタおよび相互に分離されるＰＣＢを示す斜視図である。図２は反転した状態でのＰＣＢで分離されるコネクタを示すことに注目されたい。
【００２４】
本発明のフレキシブルケーブルコネクタ載置構造において、コネクタ（１）は組み立てられる筐体（１０）、接触端子（２０）、アクチュエータ（３０）、および取付釘（４０）（５０）でＰＣＢ（２）を貫通する。コネクタ（１）は次いで下位から上位にＰＣＢ（２）を通過して、ＰＣＢ（２）上で載置される。アクチュエータ（３０）およびフレキシブルケーブル（３）が挿入される筐体（１０）の一部は、ＰＣＢ（２）の上部に位置され、筐体（１０）を超えて突出する接触端子（２０）の端部、および取付釘（４０）（５０）の底部は、ＰＣＢ（２）の下面にはんだ付けされる。穴（２ａ）を通るコネクタは、コネクタ（１）が貫通するＰＣＢ（２）上に形成され、はんだ付けが行われるはんだ付けの面（２ｂ）（２ｃ）はＰＣＢ（２）の下面上の穴（２ａ）を通ってコネクタの近位に形成される。
【００２５】
フレキシブルケーブル（３）が筐体（１０）に挿入されるとき、フレキシブルケーブル（３）はＰＣＢ（２）から離れて配置されるためフレキシブルケーブル（３）は容易に挿入され、引き出され得る。
【００２６】
図１に示されるように、アクチュエータ（３０）が閉鎖するとき、端子は筐体（１０）の後部を越えて後方に突出し、突出する端子上で、アクチュエータ（３０）を支持する支持突起部（３１）は、後方に突出すると同時に、アクチュエータ（３０）が押圧されるときにＰＣＢ（２）の上面に接触する。支持突起部（３１）が接触する位置は、好ましくは、接触端子（２０）がはんだ付けされるはんだ付け面（２ｂ）から反対の側面上であるべきである。この構造を用いて、アクチュエータ（３０）が手で押下されて閉鎖されるとき、これらの部品の変形は、ＰＣＢ（２）にはんだ付けされる部品にいかなる問題も引き起こすことなく阻止される。
【００２７】
図３は、フレキシブルケーブルコネクタの分解斜視図であり、図４は、フレキシブルケーブルコネクタの底面図である。
【００２８】
上に記載されるように、フレキシブルケーブルコネクタ（１）は、筐体（１０）、接触端子（２０）、アクチュエータ（３０）、および取付釘（４０）（５０）を備える。
【００２９】
フレキシブルケーブルは、筐体（１０）の前部分を介して挿入および引き出され、フレキシブルケーブルに接触する接触端子（２０）は、後部分を介して筐体（１０）に載置される。
【００３０】
接触端子（２０）は、筐体（１０）に挿入されるフレキシブルケーブルに接触するように筐体（１０）に載置される。接触端子（２０）の底部は、ＰＣＢの下面上で形成されるはんだ付け面（パターン）にはんだ付けされる。
【００３１】
アクチュエータ（３０）は、筐体（１０）に回転可能に取り付けられて、開放しているときフレキシブルケーブルが挿入されフレキシブルケーブルが挿入された後、後方に回転することにより閉鎖し、よって、フレキシブルケーブルが確実に接触端子（２０）に接触することを可能にする。アクチュエータ（３０）がフレキシブルケーブルおよび接触端子（２０）を合わせてきつく押下するため、アクチュエータ（３０）が閉鎖位置にあるとき、フレキシブルケーブルと接触端子（２０）との間の接触は、フレキシブルケーブルが手動で引っ張り出されない限り、安定したままである。
【００３２】
取付釘（４０）（５０）は、筐体（１０）をＰＣＢ（２）に強固に保持するように筐体（１０）上に備え付けられ、筐体（１０）の両側に固定される一対の側面取付釘（４０）、および筐体（１０）の前部分に固定される複数の前方取付釘（５０）とを備える。筐体（１０）の両側上で、側面取付釘（４０）は、スライド様式で貼り付けられ、筐体（１０）の前部上で、複数の取付釘を保持する溝（１１）は、互いにある距離をおいて形成され、その中に前方取付釘（５０）が挿入される。
【００３３】
図４に示されるように、接触端子（２０）、側面取付釘（４０）、および前方取付釘  （５０）は、筐体（１０）上に組み立てられ、その下部は、筐体（１０）を超えて突出する。具体的には、接触端子（２０）の底部は筐体（１０）の後方に突出し、側面取付釘（４０）は筐体（１０）の両側に突出し、前方取付釘（５０）は筐体（１０）の前方に突出する。
【００３４】
図５から８は、フレキシブルケーブルコネクタを載置する過程を示す図である。
【００３５】
フレキシブルケーブルコネクタ（１）が載置される前に、接触端子（２０）、アクチュエータ（３０）、および取付釘（４０）（５０）が筐体（１０）上に組み立てられる組み立て過程が行われる。
【００３６】
フレキシブルケーブルコネクタ（１）が組み立てられた後、図５に示されるように、コネクタ（１）は、ＰＣＢ（２）が反転し、かつピックアップノズル（４）を使用して組み立てられたフレキシブルケーブルコネクタ（１）も反転した状態で、ＰＣＢ（２）の穴（２ａ）を通って上位から下位へ（ＰＣＢの下面から上面へ）コネクタに挿入される。アクチュエータ（３０）が挿入過程で穴（２ａ）を通るコネクタへの入り口で引っ掛からないために、図面に示されるように、アクチュエータ（３０）は垂直に開放されなければならない。アクチュエータ（３０）の端子が筐体（１０）から後方に突出するため、アクチュエータ（３０）が閉鎖位置にあるときにコネクタ（１）が挿入される場合、アクチュエータ（３０）の端子は、穴（２ａ）を通るコネクタに引っ掛かり、その結果としてコネクタ（１）は、アクチュエータ（３０）が開放しているときに挿入される。
【００３７】
図６に示されるように、組み立てられたコネクタ（１）が、完全に挿入された場合、筐体（１０）から外側に突出する接触端子（２０）の底部および取付釘（４０）（５０）の底部は、それぞれＰＣＢ（２）の下面上に形成されるはんだ付け部分に接触してはんだ付けされる。
【００３８】
はんだ付けが行われた後、図７に示されるように、ＰＣＢ（２）が反転され垂直状態にあるアクチュエータ（３０）はそれをさらに開放するためにさらに前方に回転し、それによりフレキシブルケーブルは容易に挿入される。
【００３９】
アクチュエータ（３０）が完全に開放された後、図８に示されるように、フレキシブルケーブル（３）は挿入され、アクチュエータ（３０）は後方に回転することにより閉鎖される。アクチュエータ（３０）が閉鎖されるとき、フレキシブルケーブル（３）および接触端子（２０）は安定した接続のために一緒に強固に押下される。アクチュエータ（３０）を閉鎖する過程で、アクチュエータ（３０）の端子は手で押圧され、アクチュエータ（３０）の端子上に形成される支持突起部（３１）は、アクチュエータ（３０）を支持するＰＣＢ（２）の上面と接触する。
【００４０】
図９は、アクチュエータが側面取付釘に回転可能に係合される状態を示すための筐体の部分切り取り図であり、図１０は、アクチュエータのそれぞれの側面が側面取付釘に回転可能に係合される状態を示す図である。
【００４１】
側面取付釘（４０）の上部端で、回転軸挿入部分（４１）が穴の形態で形成され、その中で、アクチュエータ（３０）の両側上に形成される回転軸（３２）が挿入される。回転軸挿入部分（４１）は後方に向かって開放される形状を有する。
【００４２】
アクチュエータ（３０）が垂直に開放されているとき、回転軸挿入部分（４１）の上部に触れる回転軸（３２）の外観面の部分がフラットスペース（３２ａ）として形成される。したがって、アクチュエータ（３０）が垂直に開放されているとき、アクチュエータ（３０）は、アクチュエータ（３０）が手動で押される場合を除いて、その垂直に開放された状態が維持されて、閉鎖を阻止する。
【００４３】
上記本発明のフレキシブルケーブルコネクタ載置構造および方法において、以下の技術的な特性が期待され得る。
【００４４】
第１に、フレキシブルケーブルコネクタ（１）がＰＣＢ（２）の上面に載置されるが、ＰＣＢ（２）の下面ではんだ付けが行われるという理由から、ＰＣＢ（２）の上面に載置される他の部品に十分なはんだ付けスペースを確保することができるため、回路構成を促進する。電気製品の薄さを強化するために部品がＰＣＢ（２）の一方の側面にのみ載置されるときに特に顕著な効果が得られ得る。
【００４５】
第２に、フレキシブルケーブルコネクタ（１）は、筐体（１０）の４方向でＰＣＢ（２）へのはんだ付けが行われるためＰＣＢ（２）に強固に載置される。特に、先行技術では、フレキシブルケーブルコネクタが筐体の上面にはんだ付けされた場合、載置の信頼性において筐体の３方向でのみＰＣＢ（２）へのはんだ付けが行われても問題はなかったが、ＰＣＢの下面ではんだ付けが行われた場合、次いで先行技術にあるような筐体の３方向でのみはんだ付けが行われた場合、次いでアクチュエータがそれ自体を閉鎖するために押圧されたとき、載置するコネクタの信頼性が損なわれることを避けられなく、前方取付釘（５０）を追加することおよび筐体（１０）の４方向ではんだ付けが行われることによる本発明によってこれが解決されることが可能である。
【００４６】
本明細書上文に、本発明のフレキシブルケーブルコネクタ載置構造および載置方法の好ましい実施形態に基づいて説明されているが、本発明は、特定の実施形態に限定されず、関連分野の技術者であれば、特許請求の範囲に開示される範囲から逸脱することなく、これらの実施形態を任意の程度に修正することができる。
【符号の説明】
【００４７】
１：コネクタ
２：ＰＣＢ
３：フレキシブルケーブル
１０：筐体
１１：取付釘を保持する溝
２０：接触端子
３０：アクチュエータ
３１：支持突起部
３２：回転軸
４０：側面取付釘
４１：回転軸挿入部分
５０：前方取付釘
【図１】
2014239035.tif 000003
【図２】
2014239035.tif 000004
【図３】
2014239035.tif 000005
【図４】
2014239035.tif 000006
【図５】
2014239035.tif 000007
【図６】
2014239035.tif 000008
【図７】
2014239035.tif 000009
【図８】
2014239035.tif 000010
【図９】
2014239035.tif 000011
【図１０】
2014239035.tif 000012